Podtech/llm-jp-corpus-v4-ja_patent huggingface dataset:
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
a) 塩酸、臭化水素酸、ヨウ化水素酸、硫酸、硝酸、クロム酸、メタンスルホン酸、トリフルオロメタンスルホン酸、トリクロロ酢酸、ジクロロ酢酸、ブロモ酢酸、クロロ酢酸、シアノ酢酸、2-クロロプロパン酸、2-オキソブタン酸、2-クロロブタン酸、4-シアノブタン酸、過塩素酸、及びリン酸からなる群から選択される強酸を用いて形成された、ペプチド剤の塩；
b) 生分解性ポリマー；
c) 該生分解性ポリマーを溶解し、水性又は生物学的流体と混和性であるか、又はこれに分散し得る、製薬上許容される有機溶媒；及び
d) 場合により1又はそれ以上の製薬上許容される賦形剤、
を含むことを特徴とする、注入可能なポリマー組成物。
【請求項２】
前記ペプチド剤が、少なくとも一つの塩基性アミノ基を含む、請求項１記載の注入可能なポリマー組成物。
【請求項３】
前記ペプチド剤が、オキシトシン、バソプレシン、副腎皮質刺激ホルモン(ACTH)、上皮増殖因子(EGF)、血小板由来増殖因子(PDGF)、プロラクチン、黄体形成ホルモン、黄体形成ホルモン放出ホルモン(LHRH)、LHRHアゴニスト、LHRHアンタゴニスト、成長ホルモン、成長ホルモン放出因子、インシュリン、エリスロポエチン、ソマトスタチン、グルカゴン、インターロイキン、インターフェロン-α、インターフェロン-β、インターフェロン-γ、ガストリン、テトラガストリン、ペンタガストリン、ウロガストロン、セクレチン、カルシトニン、エンケファリン、エンドルフィン、アンギオテンシン、甲状腺刺激ホルモン放出ホルモン(TRH)、腫瘍壊死因子(TNF)、副甲状腺ホルモン(PTH)、神経成長因子(NGF)、顆粒球コロニー刺激因子(G-CSF)、顆粒球マクロファージコロニー刺激因子(GM-CSF)、マクロファージコロニー刺激因子(M-CSF)、ヘパリナーゼ、血管内皮成長因子(VEG-F)、骨形態形成タンパク質(BMP)、hANP、グルカゴン-様ペプチド(GLP-1)、エキセナチド、ペプチドYY(PYY)、レニン、ブラジキニン、バシトラシン、ポリミキシン、コリスチン、チロシジン、グラミシジン、シクロスポリン、酵素、サイトカイン、抗体、ワクチン、抗生物質、抗体、糖タンパク質、卵胞刺激ホルモン、キョートルフィン、タフトシン、チモポイエチン、チモシン、チモスチムリン、胸腺体液性因子、血清胸腺因子、コロニー刺激因子、モチリン、ボンベシン、ダイノルフィン、ニューロテンシン、セルレイン、ウロキナーゼ、カリクレイン、物質P類似体及びアンタゴニスト、アンギオテンシンII、血液凝固因子VII及びIX、グラミシジン、メラノサイト刺激ホルモン、甲状腺ホルモン放出ホルモン、甲状腺刺激ホルモン、パンクレオチミン、コレシストキニン、ヒト胎盤性ラクトゲン、ヒト絨毛性ゴナドトロピン、タンパク質合成刺激ペプチド、胃抑制性ペプチド、血管作用性腸ペプチド、血小板由来増殖因子、及びこれらの合成類似体及び変性体並びに薬理的に活性なそのフラグメントからなる群から選択される、請求項１記載の注入可能なポリマー組成物。
【請求項４】
親水性部分で共有結合的に修飾された、N-末端一級アミン及び/又は側鎖一級アミンを前記ペプチド剤が持つ、請求項１記載の注入可能なポリマー組成物。
【請求項５】
親油性部分で共有結合的に修飾された、N-末端一級アミン及び/又は側鎖一級アミンを前記ペプチド剤が持つ、請求項１記載の注入可能なポリマー組成物。
【請求項６】
前記生分解性ポリマーが、ポリラクチド、ポリグリコリド、ポリ(ラクチド-co-グリコリド)、ポリカプロラクトン、ポリジオキサノン、ポリカーボネート、ポリヒドロキシブチレート、ポリアルキレンオキサレート、ポリ無水物、ポリエステルアミド、ポリウレタン、ポリアセタール、ポリオルトカーボネート、ポリホスファゼン、ポリヒドロキシバレレート、ポリアルキレンサクシネート、ポリオルトエステル及びコポリマー、ブロックコポリマー、分岐コポリマー、ターポリマー及びこれらの組み合わせ及び混合物からなる群から選択される、請求項１記載の注入可能なポリマー組成物。
【請求項７】
a) LHRHアゴニスト又はアンタゴニストの塩酸塩又はメシレート塩；
b) ポリ(ラクチド-co-グリコリド)コポリマー、ここで該コポリマーのラクチド対グリコリド比は、50:50〜約100:0なる範囲内にある；
c) N-メチル-2-ピロリドン(NMP)；及び
d) トリグリセライド及び/又はビタミンE又はその誘導体、
を含むことを特徴とする、注入可能なポリマー組成物。
【請求項８】
液状媒体中にペプチド剤の遊離塩基を溶解して、溶液を調製する工程、及び該溶液を、強酸の水性溶液と混合して、該ペプチド剤の塩を形成する工程を含むことを特徴とする、ペプチド剤の塩の製造方法。
【請求項９】
a) 適当な液状媒体中に、揮発性の弱酸と共に、ペプチド剤の第一の塩を溶解して、溶液を調製する工程、b) 該溶液を、強酸の水性溶液と混合して、混合物を生成する工程；c) 該溶媒を該混合物から除去する工程；及びd) 該弱酸を除去して、該ペプチド剤の第二の塩を生成する工程、を含むことを特徴とする、ペプチド剤の塩の製造方法。
【手続補正書】
【提出日】平成22年1月21日(2010.1.21)
【手続補正１】
【補正対象書類名】特許請求の範囲
【補正対象項目名】全文
【補正方法】変更
【補正の内容】
【特許請求の範囲】
【請求項１】
少なくとも１つの、炭素原子数７〜１３のα，ω−ｎ−アルカンジカルボン酸又はそのエステル、及び少なくとも１つのレチノイドを含んで成る、酒さの治療用医薬製剤。
【請求項２】
前記少なくとも１つのα，ω−ｎ−アルカンジカルボン酸が、以下の：ピメリン酸、スベリン酸、アゼライン酸、セバシン酸、１，９−ノナンジカルボン酸、１，１０−デカンジカルボン酸、及び１，１１−ウンデカンジカルボン酸からなる群から選ばれる、請求項１に記載の医薬製剤。
【請求項３】
前記少なくとも１つのα，ω−ｎ−アルカンジカルボン酸がアゼライン酸である、請求項２に記載の医薬製剤。
【請求項４】
炭素原子数１〜５のアルキル基が、お互いに独立して前記α−及びω−位にエステル基として存在する、請求項１〜３のいずれか１項に記載の医薬製剤。
【請求項５】
前記アルキル基が、直鎖又は分岐鎖の、メチル、エチル、プロピル、ブチル、又はペンチルである、請求項４に記載の医薬製剤。
【請求項６】
前記少なくとも１つのレチノイドが、以下の：トレチノイン、イソトレチノイン、モトレチニド、エトレチネート、アダパレン、ベキサロテン及びタザロテンから成る群から選ばれる、請求項１〜５のいずれか１項に記載の医薬製剤。
【請求項７】
前記少なくとも１つのレチノイドがトレチノインである、請求項６に記載の医薬製剤。
【請求項８】
前記少なくとも１つのα，ω−ｎ−アルカンジカルボン酸又はそのエステルが、２〜４０％の濃度で存在する、請求項１〜７のいずれか１項に記載の医薬製剤。
【請求項９】
前記少なくとも１つのα，ω−ｎ−アルカンジカルボン酸又はそのエステルが、５〜３０％の濃度で存在する、請求項８に記載の医薬製剤。
【請求項１０】
前記少なくとも１つのα，ω−ｎ−アルカンジカルボン酸又はそのエステルが、１０〜２０％の濃度で存在する、請求項８に記載の医薬製剤。
【請求項１１】
前記少なくとも１つのレチノイドが、０．００５％〜０．２％の濃度で存在する、請求項１〜１０のいずれか１項に記載の医薬製剤。
【請求項１２】
前記少なくとも１つのレチノイドが、０．０２５％〜０．１％の濃度で存在する、請求項１１に記載の医薬製剤。
【請求項１３】
前記少なくとも１つのレチノイドが、０．０４％〜０．０６％の濃度で存在する、請求項１１項に記載の医薬製剤。
【請求項１４】
医薬添加剤及び／又はビヒクルを更に含んで成る、請求項１〜１３のいずれか１項に記載の医薬製剤。
【請求項１５】
以下の医薬ビヒクル：水及び塩を含む水相中のトリアシルグリセライド、プロピレングリコール、ポリソルベート、ポリアクリル酸及び大豆レシチンを含む、請求項１４に記載の医薬製剤。
【請求項１６】
いかなる医薬としての活性を有する化合物もさらに含まない、請求項１〜１３のいずれか１項に記載の医薬製剤。
【請求項１７】
少なくとも１つの、炭素原子数７〜１３のα，ω−ｎ−アルカンジカルボン酸又はそのエステル、及び少なくとも１つのレチノイドを含んで成る、炎症性皮膚疾患の治療用医薬製剤。
【請求項１８】
少なくとも１つの、炭素原子数７〜１３のα，ω−ｎ−アルカンジカルボン酸又はそのエステル、及び少なくとも１つのレチノイドを含んで成る、乾癬、アトピー性皮膚炎、又は一般的なニキビの治療用医薬製剤。
【請求項１９】
前記少なくとも１つのα，ω−ｎ−アルカンジカルボン酸が、以下の：ピメリン酸、スベリン酸、アゼライン酸、セバシン酸、１，９−ノナンジカルボン酸、１，１０−デカンジカルボン酸、及び１，１１−ウンデカンジカルボン酸からなる群から選ばれる、請求項１７又は１８に記載の医薬製剤。
【請求項２０】
前記少なくとも１つのα，ω−ｎ−アルカンジカルボン酸が、アゼライン酸である、請求項１７又は１８に記載の医薬製剤。
【請求項２１】
炭素原子数１〜５のアルキル基が、お互いに独立して、前記α−及びω−位にエステル基として存在する、請求項１７又は１８に記載の医薬製剤。
【請求項２２】
前記アルキル基が、直鎖又は分岐鎖の、メチル、エチル、プロピル、ブチル、またはペンチルである、請求項１７又は１８に記載の医薬製剤。
【請求項２３】
少なくとも１つのレチノイドが、以下の：トレチノイン、イソトレチノイン、モトレチニド、エトレチネート、アダパレン、ベキサロテン及びタザロテンからなる群から選ばれる、請求項１７又は１８に記載の医薬製剤。
【請求項２４】
前記少なくとも１つのレチノイドがトレチノインである、請求項１７又は１８に記載の医薬製剤。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
炎症誘発性サイトカインにより媒介される症状を有するか若しくはその危険性がある哺乳類を処置するための、または、過剰ＮＯ産生により媒介される疾患を有するかもしくはその危険性がある哺乳類を処置するためのタンシノンの使用、または、炎症誘発性サイトカインにより媒介される症状を有するか若しくはその危険性がある哺乳類を処置するための、または過剰ＮＯ産生により媒介される疾患を有するか若しくはその危険性がある哺乳類を処置するための薬剤を製造するためのタンシノンの使用。
【請求項２】
前記タンシノンが水溶性タンシノンである、請求項１に記載の使用。
【請求項３】
前記水溶性タンシノンが、天然に存在するタンシノンのスルホン酸ナトリウム誘導体である、請求項２に記載の使用。
【請求項４】
前記タンシノンが、タンシノンＩ、タンシノンＩＩＡ、又はクリプトタンシノンである、請求項１に記載の使用。
【請求項５】
前記水溶性タンシノンが、タンシノンＩＩＡスルホン酸ナトリウムである、請求項２に記載の使用。
【請求項６】
前記タンシノンが、Ｓａｌｖｉａ  ｍｉｌｔｉｏｒｒｈｉｚａ又はその抽出物を含む組成物より得られるか、又は包含され、該組成物が、ｌｉｇｎｕｍ  ｄａｌｂｅｒｇｉａｅ  ｏｄｏｒｉｆｅｒａｅを含まない、請求項１に記載の使用。
【請求項７】
前記哺乳類がヒトである、請求項１に記載の使用。
【請求項８】
前記症状が、虫垂炎、消化性潰瘍、胃潰瘍若しくは十二指腸潰瘍、腹膜炎、膵炎、潰瘍性、偽膜性、急性若しくは虚血性の大腸炎、憩室炎、喉頭蓋炎、アカラシア、胆管炎、胆嚢炎、肝炎、クローン病、腸閉塞症、腸炎、ホイップル病、喘息、アレルギー、アナフィラキシーショック、免疫複合体疾患、臓器の虚血、再灌流傷害、臓器の壊死、花粉症、セプシス、敗血症、内毒素性ショック、悪液質、異常高熱症、好酸球性肉芽腫、肉芽腫症、サルコイドーシス、敗血性流産、精巣上体炎、膣炎、前立腺炎、尿道炎、気管支炎、肺気腫、鼻炎、嚢胞性線維症、肺炎、肺塵症、肺胞炎、細気管支炎、咽頭炎、胸膜炎、副鼻腔炎、インフルエンザ、呼吸器合胞体ウィルス感染、ヘルペス感染、ＨＩＶ感染、Ｂ型肝炎ウィルス感染、Ｃ型肝炎ウィルス感染、播種性菌血症、デング熱、カンジダ症、マラリア、フィラリア症、アメーバ症、包虫嚢胞、火傷、皮膚炎、皮膚筋炎、日焼け、じんま疹、いぼ、膨疹、血管炎、脈管炎、心内膜炎、動脈炎、アテローム性動脈硬化症、血栓性静脈炎、心外膜炎、心筋炎、心筋虚血、結節性動脈周囲炎、リウマチ熱、アルツハイマー病、セリアック病、鬱血性心不全、成人呼吸窮迫症候群、髄膜炎、脳炎、多発性硬化症、脳梗塞、脳卒中、ギラン−バレー症候群、神経炎、神経痛、脊髄損傷、麻痺、ブドウ膜炎、関節炎疹、関節痛、骨髄炎、筋膜炎、パジェット病、痛風、歯周病、リウマチ様関節炎、滑膜炎、重症筋無力症、甲状腺炎、全身性エリテマトーデス、グッドパスチャー症候群、ベーチェット症候群、同種移植の拒絶反応、移植片対宿主病、Ｉ型糖尿病、強直性脊椎炎、バーガー病、ライター病、又はホジキン病である、請求項１に記載の使用。
【請求項９】
前記症状が、虫垂炎、消化性潰瘍、胃潰瘍若しくは十二指腸潰瘍、腹膜炎、膵炎、潰瘍性、偽膜性、急性若しくは虚血性の大腸炎、リウマチ様関節炎、肝炎、クローン病、喘息、アレルギー、アナフィラキシーショック、臓器の虚血、再灌流傷害、臓器の壊死、花粉症、セプシス、敗血症、内毒素性ショック、悪液質、敗血性流産、播種性菌血症、火傷、アルツハイマー病、セリアック病、鬱血性心不全、成人呼吸窮迫症候群、脳梗塞、脳卒中、脊髄損傷、麻痺、同種移植の拒絶反応、及び移植片対宿主病である、請求項１に記載の使用。
【請求項１０】
前記疾患が、ショック、回腸炎、潰瘍性大腸炎、クローン病、喘息、気管支炎、オキシダント誘導性肺外傷、慢性閉塞性気道疾患、角膜ジストロフィー、高眼圧症、トラコーマ、オンコセルカ症、網膜炎、ブドウ膜炎、交感性眼炎、眼内炎、歯周炎、関節炎、敗血症性関節炎、変形性関節症、慢性関節リウマチ、結核、ハンセン病、糸球体腎炎サルコイド、ネフローゼ、硬化性皮膚炎、日焼け、乾癬、湿疹、筋萎縮性側索硬化症、硬化症、認知症、例えばエイズ関連神経変性、アルツハイマー病、脳脊髄炎、ウイルス性脳炎若しくは自己免疫性脳炎、免疫複合体性脈管炎、全身性エリテマトーデス、虚血性心疾患、心不全、心筋症、副腎不全、高コレステロール血症、アテローム性動脈硬化症、骨粗鬆症、子癇前症、子癇、尿毒症合併症、慢性肝不全、卒中、脳虚血、嚢胞性線維症、結核、悪液質、虚血再かん流、血液透析に関連する健康状態、糸球体腎炎、再狭窄、ウイルス感染の炎症性続発症、低酸素症、高圧酸素による痙攣及び中毒、認知症、シドナム舞踏病、パーキンソン病、ハンチントン病、筋萎縮性側索硬化症（ＡＬＳ）、多発性硬化症、癲癇、コルサコフ病、脳血管障害に関連する精神遅滞、ＮＯ媒介性脳外傷及び関連の続発症、虚血性脳浮腫（脳卒中）、疼痛、片頭痛、嘔吐、免疫複合体病、免疫抑制剤として、急性同種移植拒絶反応、又は癌である、請求項１に記載の使用。
【請求項１１】
前記症状もしくは疾患が、セプシス、敗血症、及び／又は内毒素性ショックであり、前記哺乳類が、セプシス、敗血症、及び／又は内毒素性ショックを有するか、もしくは危険性がある、請求項１に記載の使用。
【請求項１２】
第２の処置の使用を包含する、請求項１に記載の使用。
【請求項１３】
前記第２の処置が抗炎症剤である、請求項１２に記載の使用。
【請求項１４】
前記抗炎症剤が、ＮＳＡＩＤ、サリチル酸塩、ＣＯＸ阻害剤、ＣＯＸ−２阻害剤、又はステロイドである、請求項１３に記載の使用。
【請求項１５】
前記第２の処置が、ムスカリン作動薬、アドレノメデュリン、アドレノメデュリン結合タンパク質、乳脂肪球上皮成長因子ＶＩＩＩ、活性プロテインＣ、又はα２Ａ−アドレナリン拮抗薬である、請求項１３に記載の使用。
【請求項１６】
タンシノンおよび医薬的に許容されるキャリアを含む、炎症誘発性サイトカインにより媒介される症状を有するか若しくはその危険性がある哺乳類を処置するための、または、過剰ＮＯ産生により媒介される疾患を有するか若しくはその危険性がある哺乳類を処置するための、医薬組成物。
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
４，４’−ジフェニルメタンジアミンと、更にはジフェニルメタンジイソシアネート及びポリフェニレンポリメチレンポリイソシアネートと、を同時に製造する方法であって、
以下の工程：
ａ）ジフェニルメタンジアミンとポリフェニレンポリメチレンポリアミンの混合物を、アニリン及びホルムアルデヒドの酸縮合によって製造し、その後、混合物を後処理する工程と、
ｂ）工程ａ）で製造された混合物の一部を分離する工程と、
ｃ）工程ｂ）で分離された混合物をカラムで蒸留する工程と、
ｄ）工程ｃ）で得られる底部生成物を、工程ａ）から得られる最終生成物に再循環し、そして工程ｃ）で得られる頂部生成物を凝縮する工程と、
ｅ）工程ｃ）で得られる頂部生成物をカラムで蒸留する工程と、
ｆ）工程ｅ）から得られる頂部生成物を、工程ａ）から得られる最終生成物に再循環する工程と、
ｇ）工程ｅ）で底部生成物として得られる４，４’−ジフェニルメタンジアミンを単離する工程と、
ｈ）工程ａ）から得られる混合物をホスゲンと反応させ、その後、反応生成物を後処理する工程と、
を含むことを特徴とする同時製造方法。
【請求項２】
前記製造方法における全ての工程は、連続的に行われる請求項１に記載の製造方法。
【請求項３】
ジフェニルメタンジアミンとポリフェニレンポリメチレンポリアミンの混合物を、１６０〜１８０℃の範囲の温度条件下で工程ｃ）におけるカラムに導入する請求項１に記載の製造方法。
【請求項４】
工程ｃ）のカラムの頂部における圧力は、絶対圧で１００〜５００Ｐａ（１〜５ミリバール）である請求項１に記載の製造方法。
【請求項５】
工程ｃ）のカラムの頂部における温度は、２００〜２１０℃である請求項１に記載の製造方法。
【請求項６】
工程ｃ）のカラムにおける全ての充填材料、コレクタ、分配器及び凝縮器における圧力降下は、９０Ｐａ（０．９ミリバール）未満である請求項１に記載の製造方法。
【請求項７】
工程ｃ）のカラムは、底部において２３５〜２４０℃の範囲の温度を有する請求項１に記載の製造方法。
【請求項８】
工程ｃ）のカラムは、２〜３段の理論段の分離力を有する請求項１に記載の製造方法。
【請求項９】
工程ｃ）及びｅ）におけるカラムは、低圧損の規則充填物を有する請求項１に記載の製造方法。
【請求項１０】
工程ｅ）のカラムの頂部における圧力は、絶対圧で１００〜４００Ｐａ（１〜４ミリバール）である請求項１に記載の製造方法。
【請求項１１】
工程ｅ）のカラムの頂部における温度は、１９０〜２１０℃である請求項１に記載の製造方法。
【請求項１２】
工程ｅ）のカラムにおける全ての充填材料、コレクタ、分配器及び凝縮器における圧力降下は、３５０Ｐａ（３．５ミリバール）未満である請求項１に記載の製造方法。
【請求項１３】
工程ｅ）のカラムは、底部において２２０〜２４０℃の温度を有する請求項１に記載の製造方法。
【請求項１４】
工程ｅ）のカラムは、１０〜１３段の理論段の分離力を有する請求項１に記載の製造方法。
【請求項１５】
工程ｅ）のカラムから得られる頂部生成物の一部を、工程ｃ）のカラムから得られる、所望量の底部生成物と混合する請求項１に記載の製造方法。
【手続補正２】
【補正対象書類名】明細書
【補正対象項目名】００１５
【補正方法】変更
【補正の内容】
【００１５】
従って、本発明は、４，４’−ジフェニルメタンジアミンと、更にはジフェニルメタンジイソシアネート及びポリフェニレンポリメチレンポリイソシアネートと、を同時に製造する方法であって、
以下の工程：
ａ）ジフェニルメタンジアミンとポリフェニレンポリメチレンポリアミンの混合物を、アニリン及びホルムアルデヒドの酸縮合によって製造し、その後、混合物を後処理する工程と、
ｂ）工程ａ）で製造された混合物の一部を分離する工程と、
ｃ）工程ｂ）で分離された混合物をカラムで蒸留する工程と、
ｄ）工程ｃ）で得られる底部生成物を、工程ａ）から得られる最終生成物に再循環し、そして工程ｃ）で得られる頂部生成物を凝縮する工程と、
ｅ）工程ｃ）で得られる頂部生成物をカラムで蒸留する工程と、
ｆ）工程ｅ）から得られる頂部生成物を、工程ａ）から得られる最終生成物に再循環する工程と、
ｇ）工程ｅ）で底部生成物として得られる４，４’−ジフェニルメタンジアミンを単離する工程と、
ｈ）工程ａ）から得られる混合物をホスゲンと反応させ、その後、反応生成物を後処理する工程と、
を含むことを特徴とする同時製造方法を提供する。
【手続補正３】
【補正対象書類名】明細書
【補正対象項目名】００１９
【補正方法】変更
【補正の内容】
【００１９】
４，４’−ＭＤＡの特に穏やかな蒸留は、底部において＜８００Ｐａ（８ミリバール）、特に＜６００Ｐａ（６ミリバール）の圧力条件下で達成され得る。これは、特定の低圧損（low-pressure-drop）の規則充填材料及び液体用の分配器を使用することによって達成されるのが好ましい。全ての充填材料、コレクタ、分配器及び凝縮器における圧力降下は、工程ｃ）の分離カラムにおいて、５０〜３００Ｐａ（０．５〜３ミリバール）であるのが好ましく、８０Ｐａ（０．８ミリバール）未満であるのが特に好ましい。工程ｅ）の分離カラムにおいて、全ての充填材料、コレクタ、分配器及び凝縮器に対する圧力降下は、５００Ｐａ（５ミリバール）未満であるのが好ましく、３５０Ｐａ（３．５ミリバール）未満であるのが特に好ましい。工程ｃ）及びｅ）でのカラムの頂部における圧力は、絶対圧で３００Ｐａ（３ミリバール）であるのが好ましい。
【手続補正書】
【提出日】平成22年1月8日(2010.1.8)
【手続補正１】
【補正対象書類名】明細書
【補正対象項目名】００５２
【補正方法】変更
【補正の内容】
【００５２】
物理的特性および／または分光特性の１個以上は{６−[４−(４−エチル−ピペラジン−１−イルメチル)−フェニル]−７Ｈ−ピロロ[２,３−ｄ]ピリミジン−４−イル}−((Ｒ)−１−フェニル−エチル)−アミンの結晶または多型形態の特徴付けの基本であり得る。
【手続補正２】
【補正対象書類名】明細書
【補正対象項目名】００８７
【補正方法】変更
【補正の内容】
【００８７】
本発明はまた、該疾患、とりわけ腫瘍疾患を有する温血動物の処置方法であって、意図する疾患に対して有効な量の、とりわけ、抗増殖性およびとりわけ腫瘍阻害有効量の結晶形Ａ、Ｂ、Ｃまたは非晶形の{６−[４−(４−エチル−ピペラジン−１−イルメチル)−フェニル]−７Ｈ−ピロロ[２,３−ｄ]ピリミジン−４−イル}−((Ｒ)−１−フェニル−エチル)−アミンを、そのような処置を必要とする動物に投与することを含む、方法にも関する。本発明は、さらに、上記の阻害のための、または、ヒトまたは動物の処置において使用するための、とりわけ、種々の固形腫瘍およびより具体的に例えば、乳癌、結腸癌、卵巣癌および白血病の処置のための医薬組成物の製造のための、結晶形Ａ、Ｂ、Ｃまたは非晶形の{６−[４−(４−エチル−ピペラジン−１−イルメチル)−フェニル]−７Ｈ−ピロロ[２,３−ｄ]ピリミジン−４−イル}−((Ｒ)−１−フェニル−エチル)−アミンの使用に関する。種、年齢、個々の状態、投与方式、および当該臨床像に依存して、有効量、例えば、約１−２５００mg、好ましくは１−１０００mg、とりわけ５−５００mgの１日量を、約７０kg体重の温血動物に投与する。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
被験体の縫合に基づく頭蓋障害、または骨折、若木骨折および剥離骨折（bone chip）からなるリストより選択される骨損傷の処置のための、遺伝子の発現または該遺伝子によってコードされる産物の活性を調節する薬剤であって、該遺伝子が、GPC3、RBP4、C1QTNF3、およびANXA3からなるリスト、またはそれらの哺乳動物ホモログからなるリストから選択される、前記薬剤。
【請求項２】
以下からなるリストより選択される薬剤である、請求項1記載の薬剤：
(i) GPC3、RBP4、C1QTNF3もしくはANXA3をコードする核酸分子；(ii) GPC3、RBP4、C1QTNF3もしくはANXA3をコードする核酸分子に対するアンチセンスDNAもしくはRNA分子；(iii) GPC3、RBP4、C1QTNF3もしくはANXA3をコードする核酸分子に対するshRNAもしくはsiRNA分子；(iv) GPC3、RBP4、C1QTNF3もしくはANXA3のいずれかから選択されるタンパク質；(v) GPC3、RBP4、C1QTNF3もしくはANXA3のいずれかから選択されるタンパク質に特異的な抗体。
【請求項３】
被験体の縫合に基づく頭蓋障害、又は骨折、若木骨折および剥離骨折からなるリストより選択される骨損傷の処置のための医薬の製造における、被験者の請求項１又は２に記載の薬剤の使用。
【請求項４】
骨病変が、骨癌、骨石灰化欠陥症状（deficient bone mineralization condition）、骨損傷、縫合に基づく頭蓋障害、および骨粗鬆症からなるリストより選択される、請求項1記載の薬剤または請求項3記載の使用。
【請求項５】
骨損傷が、骨折、若木骨折および剥離骨折からなるリストより選択される、請求項4記載の薬剤または使用。
【請求項６】
骨石灰化欠陥症状が異形成である、請求項4記載の薬剤または使用。
【請求項７】
被験体の骨成長を改善するための、または骨成長を阻害するための、遺伝子の発現または該遺伝子によってコードされる産物の活性を調節する薬剤であって、該遺伝子が、GPC3、RBP4、C1QTNF3、およびANXA3からなるリスト、またはそれらの哺乳動物ホモログから選択される、前記薬剤。
【請求項８】
被験体の骨成長を改善するための、または骨成長を阻害するための医薬の製造における、遺伝子の発現または該遺伝子によってコードされる産物の活性を調節する薬剤の使用であって、該遺伝子が、GPC3、RBP4、C1QTNF3、およびANXA3からなるリスト、またはそれらの哺乳動物ホモログから選択される、前記使用。
【請求項９】
被験体がヒトである、請求項1〜8記載の薬剤または使用。
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
連続水相中における疎水性粒子のエマルジョンである脱毛用組成物であって、水相が脱毛剤を含み、疎水性粒子が脂肪アルコールとヘキサデセンコポリマーを含む、前記組成物。
【請求項２】
ヘキサデセンが、4,000〜13,000の分子量を有するVP/ヘキサデセンコポリマーである、請求項１に記載の組成物。
【請求項３】
ヘキサデセンが、6,500〜8,500質量単位の分子量を有するVP/ヘキサデセンコポリマーである、請求項２に記載の組成物。
【請求項４】
VP/ヘキサデセンコポリマーが、構造(C22H41NO)xを有するポリマーである、請求項１〜３のいずれか１項に記載の組成物。
【請求項５】
３〜２０質量%の脂肪アルコールと0.2〜5質量%の油ゲル化剤を含む、請求項１〜４のいずれか１項に記載の組成物。
【請求項６】
脂肪アルコールが、８〜２２の炭素原子を含むアルキル鎖を有する、請求項１〜５のいずれか１項に記載の組成物。
【請求項７】
脱毛剤が、スルフヒドリル化合物である、請求項１〜６のいずれか１項に記載の組成物。
【請求項８】
脱毛剤の同等の酸型として表される、１〜８質量%の脱毛剤を含む、請求項１〜７のいずれか１項に記載の組成物。
【請求項９】
請求項１〜７のいずれか１項に記載の組成物の調製方法であって、
a) 脂肪アルコール、乳化剤及び油ゲル化剤を、６０℃以上の温度で溶融相に一緒に混和する工程、
b) 溶融相を水相に乳化し、それにより、分散された疎水性粒子を含むエマルジョンが形成される工程であって、乳化前の水相の温度が50℃以上である、前記工程、
c) エマルジョンを40℃以下の温度に冷却する工程、
d) 脱毛剤をエマルジョンに分散させる工程
を含む、前記方法。
【請求項１０】
ヒト皮膚から除毛する方法であって、
i) 不必要な毛がある皮膚に、請求項１〜５のいずれか１項に記載の組成物を塗布する工程、
ii) 前記組成物を所定の時間皮膚に接触させておく工程、
iii) 前記組成物と分解させた毛を除去する工程
を含む、前記方法。
【請求項１１】
塗布ツールと除去ツールが、組合わせたツールの二つの異なる側面として一緒に結合されている、請求項９に記載の方法。
【請求項１２】
組合わせたツールが、グローブ、ミット又は親指のないミットである、請求項１０に記載の方法。
【請求項１３】
湿潤環境において毛のケラチンを分解させるための請求項１〜７のいずれか１項に記載の組成物の使用。
【請求項１４】
脱毛用組成物を塗布するために配置された第一側面と脱毛用組成物を除去するために配置された第二側面を有する脱毛ツールであって、第一側面と第二側面が、実質的に異なるきめ及び/又は色を呈している、前記ツール。
【請求項１５】
第一側面及び/又は第二側面が、気泡材料を有する、請求項１４に記載のツール。
【請求項１６】
気泡材料が、天然のスポンジ又は合成のスポンジである、請求項１５に記載のツール。
【請求項１７】
第二側面が、第一側面より粗いか又は研磨性であり、それにより、分解された毛と共に脱毛クリームの除去を援助する、請求項１４〜１６のいずれか１項に記載のツール。
【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
実質的に亜塩素酸塩を含まない、安定性のある水性塩素−酸素化合物である酸化性塩素−酸素化合物の水溶液を被包膜中に封入し、前記被包膜が中性の水性溶媒中で不溶性かつ水透過性であって、かつ硬化剤として塩類の形態の添加剤を含有することを特徴とする、水性溶媒中に封入された薬剤を放出するための被包膜。
【請求項２】
硬化剤としての塩類がアルカリ金属塩および／またはアルカリ土類金属塩、特に塩化カルシウムの形態で含まれることを特徴とする、請求項１に記載の被包膜。
【請求項３】
塩素−酸素化合物の分解生成物、特に二酸化塩素および酸素を気体中に透過させることを特徴とする、請求項１または請求項２のいずれかに記載の被包膜。
【請求項４】
封入された薬剤を連続的定量的な方法で放出することを特徴とする、請求項１〜３のいずれか一項に記載の被包膜。
【請求項５】
塩素−酸素化合物がテトラクロロデカオキシド（ＴＣＤＯ）複合体の形態で存在することを特徴とする、請求項１〜４のいずれか一項に記載の被包膜。
【請求項６】
被包膜が酸化性塩素−酸素化合物を放出するための細孔を有することを特徴とする、請求項１〜５のいずれか一項に記載の被包膜。
【請求項７】
ｐＨ試薬、酸化還元感受性試薬および／または導電性感受性試薬の形態の添加剤、特にフェノールフタレインまたはメチルオレンジを含有することを特徴とする、請求項１〜６のいずれか一項に記載の被包膜。
【請求項８】
低密度化するための二酸化ケイ素、多孔質材料の形態の添加剤、例えば特にベントナイトおよび／または活性炭を含有することを特徴とする、請求項１〜７のいずれか一項に記載の被包膜。
【請求項９】
カチオン性および／またはアニオン性水不溶性ポリマーをベースとすることを特徴とする、先行する請求項１〜８の少なくとも一項に記載の被包膜。
【請求項１０】
カチオン性および／またはアニオン性水不溶性ポリマーがカチオン性および／またはアニオン性高分子電解質（特にカチオン化多糖類および／またはアニオン化多糖類）の形態で存在することを特徴とする、請求項９に記載の被包膜。
【請求項１１】
カチオン化高分子電解質がプラスチック材料、特にポリ（メタ）アクリル酸であることを特徴とする、請求項１０に記載の被包膜。
【請求項１２】
被包膜がカプセルの形態、特にマイクロカプセルの形態で存在し、固体外部シェルがカチオン性高分子電解質をベースとするものであり、内部コアがアニオン性高分子電解質をベースとするものであり、あるいはその逆も可能であることを特徴とする、先行する請求項１〜１１の少なくとも一項に記載の被包膜。
【請求項１３】
マイクロカプセルが約１〜５００μｍ、特に約５〜２００μｍの粒径を有することを特徴とする、請求項１２に記載の被包膜。
【請求項１４】
マイクロカプセルが約１００ｎｍ〜１μｍ、特に約１５０〜６５０ｎｍの粒径のナノカプセルとして存在することを特徴とする、請求項１２に記載の被包膜。
【請求項１５】
カチオン化多糖類および／またはアニオン化多糖類がキトサンもしくはキトサン誘導体またはアルギン酸塩もしくはアルギン酸誘導体であることを特徴とする、請求項１０〜１４の少なくとも一項に記載の被包膜。
【請求項１６】
カプセルのシェルの壁厚とコアの直径の比が約１：１〜１：１０、特に約１：１〜１：５であることを特徴とする、請求項１２〜１５の少なくとも一項に記載の被包膜。
【請求項１７】
酸化性塩素−酸素化合物の水溶液がコアの約２０〜８０重量％、特に約３０〜６０重量％を占めることを特徴とする、先行する請求項１２〜１６の少なくとも一項に記載の被包膜。
【請求項１８】
封入される水溶液が、酸化性塩素−酸素化合物（特にＴＣＤＯの形態）を約４０〜１００ｇ／Ｌ、特に約５０〜８０ｇ／Ｌ含有することを特徴とする、先行する請求項１〜１７の少なくとも一項に記載の被包膜。
【請求項１９】
液体および基質表面、特に布、フィルター材料、膜、狭い間隙、接続部または充填成分を消毒および浄化するための先行する請求項１〜１８の少なくとも一項に記載の被包膜を使用する方法。
【請求項２０】
水を消毒するための、特に飲料水および水泳プール用水を消毒するための、ならびに、特に石英砂利、珪砂および／または炭素質材料の形態のフィルター材料を消毒するための、先行する請求項１〜１８の少なくとも一項に記載の被包膜を使用する方法。
【請求項２１】
ａ）酸化性塩素−酸素化合物の水溶液をアルギン酸塩またはアルギン酸誘導体の水溶液へ混合し、キトサンまたはキトサン誘導体の水溶液を前記の得られた混合物へ混合し、得られた反応混合物をカプセルに変換するか、あるいは、ｂ）安定性のある酸化性塩素−酸素化合物の水溶液をキトサンまたはキトサン誘導体の水溶液へ混合し、アルギン酸塩またはアルギン酸誘導体の水溶液を得られた混合物へ混合し、得られた反応混合物をマイクロカプセルに変換する被包膜の製造方法であり、アルギン酸塩またはアルギン酸誘導体とキトサンまたはキトサン誘導体が互いに逆にイオン化された状態で用い、初期溶液および／または最終反応混合物へ硬化剤としての塩類を加えて必要とされる性能を満たすように調整することを特徴とする、請求項１５〜１８の少なくとも一項に記載の被包膜の製造方法。
【請求項２２】
カプセル化に噴霧乾燥法または滴下添加法を用いることを特徴とする、請求項２１に記載の製造方法。
【請求項２３】
アルギン酸塩またはアルギン酸誘導体の水溶液の濃度が約０．５〜１０重量％、特に約０．５〜４重量％に調節されることを特徴とする、請求項２１または請求項２２のいずれか一項に記載の製造方法。
【請求項２４】
キトサンまたはキトサン誘導体の水溶液の濃度が約０．５〜４重量％、特に約０．５〜２重量％に調節されることを特徴とする、請求項２１〜２３のいずれか一項に記載の製造方法。
【請求項２５】
アルカリ金属塩および／またはアルカリ土類金属塩、特に塩化カルシウムがキトサンまたはキトサン誘導体の水溶液中に硬化剤たる塩類として添加されることを特徴とする、請求項２１〜２４のいずれか一項に記載の製造方法。
【請求項２６】
ｐＨ試薬、酸化還元感受性試薬および／または導電率感受性試薬の形態の追加添加剤（特にフェノールフタレインまたはメチルオレンジ）、あるいは低密度化するための二酸化ケイ素、多孔質材料の形態の添加剤（特にベントナイトおよび／または活性炭）を初期溶液および／または最終反応混合物に添加することを特徴とする、請求項２１〜２５の少なくとも一項に記載の製造方法。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
長さL、直径D及び１チューブあたり少なくとも１個の冷却剤インレットを有するクエンチチューブであって、前記インレットは前記チューブの側面からチューブの中に冷却剤を通し、
Dは０.０４〜０.１０mであり、及びL/Dは少なくとも５である、前記チューブ。
【請求項２】
２〜４個の冷却剤インレットを有する請求項１記載のクエンチチューブ。
【請求項３】
第１ガス状反応体流を第２ガス状反応体流と反応させてガス状生成物流を生成するための装置であって、
少なくとも１個の第１ガス状反応体流のための第１供給手段、少なくとも１個の第２ガス状反応体流のための第２供給手段、触媒ゾーン及び生成物冷却ゾーンを備え、
前記触媒ゾーンは少なくとも０.０１m２の断面積CAを有し、
生成物冷却ゾーンは触媒ゾーンの下流に位置し、複数（N個）のクエンチチューブを含み、各チューブは長さL、直径D、及び断面積QAを有し、各クエンチチューブはチューブあたり少なくとも一つの冷却剤インレットを有し、前記インレットは冷却剤をチューブの側面からチューブの中に通し、及び、
Dは０.０４〜０.１０mであり、
L/Dは少なくとも５であり、及び
(N×QA)/CAは０.０７〜０.３１である、前記装置。
【請求項４】
(N×QA)/CAが０.２５未満である請求項３記載の装置。
【請求項５】
Nが少なくとも３で、かつ２０未満である、請求項３又は請求項４記載の装置。
【請求項６】
第１ガス状反応体流及び第２ガス状反応体流が触媒と接触してガス状生成物流を生成し、前記生成物流が触媒を離れる際に冷却される方法であって、前記方法が請求項１又は請求項２記載のクエンチチューブを使用して、または請求項３〜５いずれか１項記載の装置内で行われる方法。
【請求項７】
前記方法が、ガス状パラフィン系炭化水素及び分子酸素含有ガスが燃焼性の通常の燃料富限界を超える燃焼を維持することができる触媒と接触し、オレフィン類を含むガス状生成流を生成する自己熱分解によるオレフィンの製造方法である、請求項６記載の方法。
【手続補正書】
【提出日】平成21年12月28日(2009.12.28)
【手続補正１】
【補正対象書類名】特許請求の範囲
【補正対象項目名】全文
【補正方法】変更
【補正の内容】
【特許請求の範囲】
【請求項１】
固体粒子の水性懸濁液を濃縮する方法であって、
少なくとも１種の有機高分子凝集剤を懸濁液に加えることにより、凝集した固体を形成し、そこで凝集した固体は固体の層を形成でき、それによってより濃縮された懸濁液を形成する工程を含み、
方法が、フリーラジカル剤、酸化剤、酵素及び放射線からなる群より選択される有効量の作用物質の添加を含み、
有機高分子凝集剤の添加の前若しくは添加と実質的に同時に、作用物質を懸濁液に適用し、そして／又は
有機高分子凝集剤を容器中の懸濁液に加え、かつ作用物質を同じ容器中の懸濁液に適用する、方法。
【請求項２】
作用物質が、過ホウ酸塩、過炭酸塩、炭酸塩、重炭酸塩、過硫酸塩、オゾン及び過酸化物から選択される、請求項１記載の方法。
【請求項３】
作用物質が過酸化水素である、請求項１又は請求項２記載の方法。
【請求項４】
作用物質が凝集した構造の崩壊をもたらす、請求項１〜３のいずれか１項記載の方法。
【請求項５】
作用物質が有機高分子凝集剤の分解をもたらす、請求項１〜４のいずれか１項記載の方法。
【請求項６】
作用物質が、作用物質の添加がない相当固形分の固体の層の降伏応力に対して、固体の層の降伏応力で少なくとも３０％より低い低減をもたらす、請求項１〜５のいずれか１項記載の方法。
【請求項７】
作用物質の添加が、所定の降伏応力を有する層につき、作用物質が不在であるが同等な方法による同じ降伏応力を有する層と比較して、固形分で少なくとも５重量％の増加をもたらす、請求項１〜６のいずれか１項記載の方法。
【請求項８】
作用物質が気体を発生する、請求項１〜７のいずれか１項記載の方法。
【請求項９】
凝集した固体が沈降して床を形成し、かつ水が懸濁液から放出され、
そこで、固体の床の作用物質による処理が、作用物質の不在下で実施される同等の方法と比較して、床の固形分の増加をもたらす、請求項１〜８のいずれか１項記載の方法。
【請求項１０】
凝集した固体が沈降して固体の床を形成し、水が懸濁液から放出され、作用物質が床と接触し、前記作用物質が気泡を発生し、それが前記床に流路の形成をもたらし、懸濁液から水の放出を促進する、請求項１〜９記載の方法。
【請求項１１】
重量濃縮器又は処理領域で、懸濁液を凝集に付し、凝集した固体を沈降分離により沈降させ、より濃縮された圧縮層を形成させる、請求項１〜１０のいずれか１項記載の方法。
【請求項１２】
固体の層が底流を形成し、次にそれが処理領域に移動される、請求項１〜１１のいずれか１項記載の方法。
【請求項１３】
水性懸濁液が、鉱物粒子を含む、請求項１〜１２のいずれか１項記載の方法。
【請求項１４】
水性懸濁液が、ボーキサイト、卑金属、貴金属、鉄、ニッケル、石炭、鉱物砂、油砂、白土、ダイヤモンド及びウランからなる群より選択される、鉱物若しくはエネルギー処理操作及び／又は尾鉱基材に由来する、請求項１〜１３のいずれか１項記載の方法。
【請求項１５】
有機高分子凝集剤が、少なくとも４dl/gの固有粘度の合成ポリマー又は天然ポリマーのいずれかの非イオン性又はアニオン性のポリマーである、請求項１〜１４のいずれか１項記載の方法。
【請求項１６】
有機高分子凝集剤が、アクリル酸ナトリウムのホモポリマー、アクリルアミドのホモポリマー、及びアクリルアミドとアクリル酸ナトリウムのコポリマーからなる群より選択される、請求項１〜１５のいずれか１項記載の方法。
【手続補正書】
【提出日】平成22年1月15日(2010.1.15)
【手続補正１】
【補正対象書類名】特許請求の範囲
【補正対象項目名】全文
【補正方法】変更
【補正の内容】
【特許請求の範囲】
【請求項１】
オレフィンを不飽和アルデヒドに酸化させるための触媒を調製する方法であって、
ａ）  モリブデン、ビスマス、鉄、セシウムの化合物、並びにタングステン、ＭおよびＭ’の随意的化合物を水または酸中に溶解させて反応溶液を形成する工程であって、Ｍは、アンチモン、リン、ホウ素、硫黄、ケイ素、アルミニウム、チタン、テルル、バナジウム、ジルコニウムおよびニオブから選択される１種類以上であり、Ｍ’は、コバルト、ニッケル、マグネシウム、亜鉛、カリウム、ルビジウム、タリウム、マンガン、バリウム、クロム、セリウム、スズ、鉛、カドミウムおよび銅から選択される１種類以上である工程、
ｂ）  前記反応溶液中に固体を沈殿させて、反応スラリーを形成する工程、
ｃ）  前記スラリーを、ほとんどまたは全く撹拌せずに、約５から約１０時間に亘りエージングさせる工程、
ｄ）  前記スラリーから液体を蒸発させて、固体触媒前駆体を形成する工程、および
ｅ）  前記固体をか焼して前記金属の酸化物を形成して、一般化学式：
Ｍｏ12ＢｉaＷbＦｅcＣｓgＭmＭ’m'Ｏx
ここで、ａは０．１から１．５の範囲にあり、ｂは０から９であり、ｃは０．２から５．０の範囲にあり、ｇは０．１から１．５の範囲にあり、ｍは０から９の範囲にあり、ｍ’は０から９の範囲にあり、ｘは他の成分の価数により決定される、
の触媒を形成する工程、
を有してなる方法。
【請求項２】
前記Ｍ’化合物がコバルト化合物であることを特徴とする請求項１記載の方法。
【請求項３】
前記Ｍ’化合物がニッケル化合物であることを特徴とする請求項１記載の方法。
【請求項４】
前記Ｍ化合物がアンチモン化合物であることを特徴とする請求項１記載の方法。
【請求項５】
前記Ｍ’化合物が亜鉛化合物であることを特徴とする請求項１記載の方法。
【請求項６】
前記Ｍ’化合物がマグネシウム化合物であることを特徴とする請求項１記載の方法。
【請求項７】
前記触媒が、化学式：
Ｍｏ12ＢｉaＷbＦｅcＣｏdＮｉeＳｂfＣｓgＭｇhＺｎiＯx
ここで、ａは０．８から１．２であり、ｂは０から２であり、ｃは２から４であり、ｄは０から４であり、ｅは３から６であり、ｆは０から２．０であり、ｇは０．２から０．８であり、ｈは０から１．５であり、ｉは０から２．０である、
のものであることを特徴とする請求項１記載の方法。
【請求項８】
前記触媒が、化学式：
Ｍｏ12ＢｉaＷbＦｅcＣｏdＮｉeＳｂfＣｓgＭｇhＺｎiＯx
ここで、ａは０．９から１．１であり、ｂは０から１であり、ｃは２．０から２．５であり、ｄは１．０から２．０であり、ｅは３．５から４．５であり、ｆは０から１．０であり、ｇは０．４から０．６であり、ｈは０．２５から０．７５であり、ｉは０から１である、
のものであることを特徴とする請求項７記載の方法。
【請求項９】
前記化合物が溶解され、４０℃から１００℃の範囲の温度で沈殿が生じることを特徴とする請求項１記載の方法。
【請求項１０】
エージングが５から６時間に亘ることを特徴とする請求項１記載の方法。
【請求項１１】
前記触媒前駆体を乾燥させる工程をさらに含むことを特徴とする請求項１記載の方法。
【請求項１２】
前記固体が、１〜１２時間に亘り２００〜６００℃の温度でか焼されることを特徴とする請求項１記載の方法。
【請求項１３】
前記固体が二段階でか焼され、第一段階が１〜５時間に亘り１５０〜４００℃の温度であり、第二段階が４〜８時間に亘り４６０〜６００℃の温度であることを特徴とする請求項２６記載の方法。
【請求項１４】
前記反応溶液を撹拌する工程をさらに含むことを特徴とする請求項１記載の方法。
【手続補正書】
【提出日】平成22年1月19日(2010.1.19)
【手続補正１】
【補正対象書類名】特許請求の範囲
【補正対象項目名】全文
【補正方法】変更
【補正の内容】
【特許請求の範囲】
【請求項１】
インクジェットプリンタペンに使用する回路物品であって、前記回路物品が
誘電体フィルム上に配置される複数の導電性トレースを有するフレキシブル回路と、
前記フレキシブル回路の前記誘電体フィルムに隣接して配置される接着フィルムであって、エポキシ化芳香族ジエンブロックコポリマー及び熱硬化剤を含む架橋性前駆体に由来する接着フィルムと、及び
前記接着フィルムに隣接し、前記フレキシブル回路に対向して配置されるキャリアフィルムを含む回路物品。
【請求項２】
インクを保管及び分与するように設計されるペン本体と、
前記ペン本体に付着しているキャリアフィルムと、
前記キャリアフィルムに隣接して前記本体に対向して配置される接着フィルムであって、エポキシ化芳香族ジエンブロックコポリマー及び熱硬化剤を含む架橋性前駆体に由来する接着フィルムと、
誘電体フィルム上に配置される複数の導電性トレースを有するフレキシブル回路であって、前記誘電体フィルムが前記接着フィルムに隣接して配置されるフレキシブル回路を含むインクジェットプリンタペン。
【請求項３】
インクジェットプリンタペン本体に使用する回路物品を形成する方法であって、
キャリアフィルム上に架橋性前駆体をコーティングする工程であって、前記架橋性前駆体はエポキシ化スチレン−ジエンブロックコポリマー及び熱硬化剤を含む工程と、
フレキシブル回路を前記架橋性前駆体と隣接させてラミネート化する工程であって、前記フレキシブル回路は、架橋性前駆体によって封入される複数の導電性トレースを有する工程と、
架橋性前駆体を熱硬化させる工程と、を含む方法。
【手続補正書】
【提出日】平成22年1月12日(2010.1.12)
【手続補正１】
【補正対象書類名】特許請求の範囲
【補正対象項目名】請求項１
【補正方法】変更
【補正の内容】
【請求項１】
蓋部材が予め印刷されたシートからブリスターパックを封止するための複数の蓋部材ユニットを切り取る方法であって、
ａ）幅方向および長さ方向に複数の蓋部材ユニットを備えかつ複数の位置合わせマークが付された、蓋部材が予め印刷されたシートを提供し、
ｂ）該シートを、第１および第２光センサを備えた裁断領域を通って長さ方向へ送給し、
ｃ）前記第１センサが前記位置合わせマークの一つを検出したときに前記シートの送給を停止させ、
ｄ）前記第２センサが前記位置合わせマークを検出するまで、前記シートを幅方向へ移動させ、
ｅ）該シートを、前記裁断領域内でカッタを用いて複数の蓋部材ユニットに裁断する、
諸ステップを含むことを特徴とする前記方法。
【手続補正２】
【補正対象書類名】明細書
【補正対象項目名】０００８
【補正方法】変更
【補正の内容】
【０００８】
本発明によれば、蓋部材が予め印刷されたシートからブリスターパックを封止するための複数の蓋部材ユニットを切り取る方法が提供され、その方法は、
ａ）幅方向および長さ方向に複数の蓋部材ユニットを備えかつ複数の位置合わせマークが付された、蓋部材が予め印刷されたシートを提供し、
ｂ）このシートを、第１および第２光センサを備えた裁断領域を通って長さ方向へ送給し、
ｃ）上記第１センサが１個の位置合わせマークを検出したときに上記シートの送給を停止させ、
ｄ）上記第２センサが上記位置合わせマークを検出するまで、上記シートを幅方向へ移動させ、
ｅ）このシートを、上記裁断領域内でカッタを用いて複数の蓋部材ユニットに裁断する
諸ステップを含む。
【手続補正書】
【提出日】平成21年12月4日(2009.12.4)
【手続補正１】
【補正対象書類名】特許請求の範囲
【補正対象項目名】全文
【補正方法】変更
【補正の内容】
【特許請求の範囲】
【請求項１】
レーザー光を溶接する対象物にスキャナミラーを介して向けるプラスチック製品のレーザー溶接方法であって、前記スキャナミラーの動きを制御、調整し、２００ｍｍを超える焦点距離を使用できるように焦点距離を増加させることで前記レーザー光の移動速度を増加させ；前記レーザー光の移動速度は１０ｍ／秒を超えるように構成されており；かつ、前記レーザー光は所定の溶接軌道に沿って数回移動することを特徴とするレーザー溶接方法。
【請求項２】
溶接軌道に沿った前記レーザー光の移動回数が最適化されることを特徴とする請求項１に記載の方法。
【請求項３】
前記スキャナミラーの動きを制御するのみならずより長い焦点距離を使用するためのプログラムを作成することを特徴とする請求項１または請求項２に記載の方法。
【請求項４】
前記レーザー光の最高移動速度が使用するスキャナミラーと焦点距離に依存することを特徴とする請求項１〜３のいずれか１項に記載の方法。
【請求項５】
前記レーザー光がレンズを通過するように所望の最適な前記焦点距離を得るための適当なレンズを設け、かつ、前記レーザー光の移動速度を調整するため前記焦点距離を使用することを特徴とする請求項１〜４のいずれか１項に記載の方法。
【請求項６】
前記方法が５，０００ｍｍ未満の焦点距離を使用することを特徴とする請求項１〜５のいずれか１項に記載の方法。
【請求項７】
前記方法が１，０００ｍｍ未満の焦点距離を使用することを特徴とする請求項１〜６のいずれか１項に記載の方法。